Podtech/llm-jp-corpus-v4-ja_patent huggingface dataset:
【誤訳訂正書】
【提出日】平成24年12月5日(2012.12.5)
【誤訳訂正１】
【訂正対象書類名】特許請求の範囲
【訂正対象項目名】全文
【訂正方法】変更
【訂正の内容】
【特許請求の範囲】
【請求項１】
メタボリック症候群の包括的な処置又は包括的な予防のための薬物の形態の、キトサン、アスコルビン酸及び酒石酸を含有する組成物であって、前記アスコルビン酸が、キトサンに対して１〜１０重量％の量であることを特徴とする組成物。
【請求項２】
メタボリック症候群の包括的な処置又は包括的な予防のための栄養補助食品の形態の、キトサン、アスコルビン酸及び酒石酸を含有する組成物であって、前記アスコルビン酸が、キトサンに対して１〜１０重量％の量であることを特徴とする組成物。
【請求項３】
前記の包括的な処置又は包括的な予防は、下記の状態：
ａ）ウェスト周りが、男性で１０２ｃｍを超え、女性で８８ｃｍを超えること；
ｂ）トリグリセリドのレベルが、１５０ｍｇ／ｄＬを超えること；
ｃ）ＨＤＬコレステロールのレベルが、男性で４０ｍｇ／ｄＬ未満、女性で５０ｍｇ／ｄＬ未満であること；
ｄ）動脈血圧が、１３０／８５ｍｍＨｇ以上であること；及び
ｅ）空腹時血糖が高いレベル（１１０ｍｇ／ｄＬを超える）であること、又はグルコース負荷曲線が変化されていること；
のうち少なくとも３つのものを対象にすることを特徴とする請求項１又は２に記載の組成物。
【請求項４】
前記状態のひとつは、状態（ｅ）であることを特徴とする請求項３に記載の組成物。
【請求項５】
前記状態の２つは、状態（ｄ）及び（ｅ）であることを特徴とする請求項３に記載の組成物。
【請求項６】
潤滑剤及び／又は賦形剤及び／又はアジュバント及び／又は香料及び／又は抗酸化剤をさらに有することを特徴とする請求項１乃至５のいずれか一項に記載の組成物。
【請求項７】
前記潤滑剤は、ステアリン酸マグネシウムであることを特徴とする請求項６に記載の組成物。
【請求項８】
前記アスコルビン酸は、キトサンに対して４〜８重量％の量で存在することを特徴とする請求項７に記載の組成物。
【請求項９】
錠剤の形態であることを特徴とする請求項１乃至８のいずれか一項に記載の組成物。
【請求項１０】
投与単位当たり０．１〜１．５ｇの量でキトサンを含有することを特徴とする請求項１乃至９のいずれか一項に記載の組成物。
【請求項１１】
投与単位当たり０．２５〜１ｇの量でキトサンを含有することを特徴とする請求項１０に記載の組成物。
【請求項１２】
投与単位当たり４００〜６００ｍｇの量でキトサンを含有することを特徴とする請求項１１に記載の組成物。
【請求項１３】
キトサン、アスコルビン酸及び酒石酸を、賦形剤、アジュバント、潤滑剤、抗酸化剤及び香料から選択される物質と混ぜ合わせることにより、メタボリック症候群の包括的な処置又は包括的な予防のための医薬組成物を調製する方法であって、前記アスコルビン酸が、キトサンに対して１〜１０重量％の量であることを特徴とする方法。
【請求項１４】
キトサン、アスコルビン酸及び酒石酸を、賦形剤、アジュバント、潤滑剤、抗酸化剤及び香料から選択される物質と混ぜ合わせることにより、メタボリック症候群の包括的な処置又は包括的な予防のための栄養補助食品を調製する方法であって、前記アスコルビン酸が、キトサンに対して１〜１０重量％の量であることを特徴とする方法。
【請求項１５】
前記潤滑剤は、ステアリン酸マグネシウムであることを特徴とする請求項１３又は１４に記載の方法。
【請求項１６】
前記医薬組成物又は栄養補助食品は、錠剤の形態で製造されることを特徴とする請求項１３乃至１５のいずれか一項に記載の方法。
【請求項１７】
メタボリック症候群の包括的な処置又は包括的な予防のための薬物の調製への、請求項１に記載の組成物の使用。
【請求項１８】
メタボリック症候群の包括的な処置又は包括的な予防のための栄養補助食品の調製への、請求項２に記載の組成物の使用。
【請求項１９】
前記メタボリック症候群は、下記の状態：
ａ）ウェスト周りが、男性で１０２ｃｍを超え、女性で８８ｃｍを超えること；
ｂ）トリグリセリドのレベルが、１５０ｍｇ／ｄＬを超えること；
ｃ）ＨＤＬコレステロールのレベルが、男性で４０ｍｇ／ｄＬ未満、女性で５０ｍｇ／ｄＬ未満であること；
ｄ）動脈血圧が、１３０／８５ｍｍＨｇ以上であること；及び
ｅ）空腹時血糖が高いレベル（１１０ｍｇ／ｄＬを超える）であること、又はグルコース負荷曲線が変化されていること；
のうち少なくとも３つのものを有することを特徴とする請求項１７又は１８に記載の使用。
【請求項２０】
前記状態のひとつは、状態（ｅ）であることを特徴とする請求項１９に記載の使用。
【請求項２１】
前記状態の２つは、状態（ｄ）及び（ｅ）であることを特徴とする請求項１９に記載の使用。
【誤訳訂正２】
【訂正対象書類名】明細書
【訂正対象項目名】００１０
【訂正方法】変更
【訂正の内容】
【００１０】
本発明は、薬物又は栄養補助食品の形態で、キトサンを有する組成物に関するものであって、メタボリック症候群の包括的な治療又は包括的な予防に適するものである。また、その方法についても述べる。
【誤訳訂正３】
【訂正対象書類名】明細書
【訂正対象項目名】００１５
【訂正方法】変更
【訂正の内容】
【００１５】
本発明は、メタボリック症候群（ＭＳ）の包括的な治療的処置又は包括的な予防に適した、薬物又は栄養補助食品の形態の、キトサンを有する組成物に関する。
【誤訳訂正４】
【訂正対象書類名】明細書
【訂正対象項目名】００１６
【訂正方法】変更
【訂正の内容】
【００１６】
驚くべきことに、医薬組成物又は栄養補助食品が、ＡＴＰ  ＩＩＩの２００５年の基準に従って分類されたＭＳの病態の包括的な治療的処置又は包括的な予防に適して、調製され得ることを見出した。
【誤訳訂正５】
【訂正対象書類名】明細書
【訂正対象項目名】００２２
【訂正方法】変更
【訂正の内容】
【００２２】
本発明のさらなる態様は、メタボリック症候群の包括的な治療的処置又は包括的な予防に適した、医薬組成物又は栄養補助食品を調製する方法であって、キトサンを、適当な賦形剤若しくは希釈剤又は相補的な活性を有する適当な物質と混ぜ合わせることによるものである。種々の化合物を薬物又は栄養補助食品中に混ぜ合わせることにより調製する全ての公知の方法を使用し得る。錠剤の調製方法、特に、アスコルビン酸及びステアリン酸マグネシウムを含有する錠剤の調製方法が、好ましい。
【誤訳訂正６】
【訂正対象書類名】明細書
【訂正対象項目名】００２３
【訂正方法】変更
【訂正の内容】
【００２３】
本発明のさらなる態様は、メタボリック症候群の包括的な治療的処置又は包括的な予防に適した薬物又は栄養補助食品の調製への、キトサンの使用に関する。特に、キトサンを使用することにより、体重及びコレステロールのレベルを低減し得るとともに、グルコースの基底レベルを、１１０ｍｇ／ｄＬ未満に、動脈血圧を１３０／８５ｍｍＨｇ未満に、それぞれ低減可能である。
【誤訳訂正書】
【提出日】平成24年11月13日(2012.11.13)
【誤訳訂正１】
【訂正対象書類名】特許請求の範囲
【訂正対象項目名】全文
【訂正方法】変更
【訂正の内容】
【特許請求の範囲】
【請求項１】
ホウ酸および脂肪族またはアラリファティック（ａｒａｌｉｐｈａｔｉｃ）アミンの存在下、極性の大きい非プロトン性溶媒中で、アセチルアセトンをバニリンと縮合させ、その後、後処理することによってクルクミンを調製する方法であって、バニリンに対して０．８５〜１．２５モル当量のホウ酸と、触媒量の式Ｒ−ＣＨ２−ＮＨ２（式中、Ｒは、場合によりメチル、メトキシまたはハロゲンで置換されていてもよいＣ１〜１９アルキルまたはフェニルである）で表わされる第一アミンの存在下、溶媒のＤＭＦ、ＤＭＡまたはジグリム中で、バニリンをアセチルアセトンと、５０〜８５℃、１０〜５００ｍｂａｒ、の減圧で、蒸留により反応水を同時除去しながら、反応させることを特徴とする方法。
【請求項２】
前記アミンは、ブチルアミン、２−メトキシエチルアミンおよびベンジルアミンからなる群から選択されることを特徴とする請求項１に記載の方法。
【請求項３】
アセチルアセトンに対して１０〜３５モル％のアミンを使用することを特徴とする請求項１または２に記載の方法。
【請求項４】
アセチルアセトンに対して１０〜３５モル％の量のベンジルアミンを使用することを特徴とする請求項１〜３のいずれか一項に記載の方法。
【請求項５】
前記溶媒がＤＭＦであることを特徴とする請求項１〜４のいずれか一項に記載の方法。
【請求項６】
共留剤が使用され、かつ前記反応水を共沸混合物として除去することを特徴とする請求項１〜５のいずれか一項に記載の方法。
【請求項７】
バニリンに対して１０〜５０％の量の共留剤を使用することを特徴とする請求項１〜６のいずれか一項に記載の方法。
【請求項８】
共留剤としてキシレンを使用することを特徴とする請求項６に記載の方法。
【請求項９】
バニリンに対して９０〜１００モル％のＢ（ＯＨ）３を使用することを特徴とする請求項１に記載の方法。
【請求項１０】
後処理をインサイチューで、中間体を分離することなく行うことを特徴とする請求項１〜９のいずれか一項に記載の方法。
【請求項１１】
メタノール中でスラリー化することによってクルクミンを精製することを特徴とする請求項１〜１０のいずれか一項に記載の方法。
【請求項１２】
請求項１〜１１のいずれか一項に記載の方法によって調製されるクルクミン。
【誤訳訂正２】
【訂正対象書類名】明細書
【訂正対象項目名】０００６
【訂正方法】変更
【訂正の内容】
【０００６】
反応水を除去し、反応を完結させるためには、約モル量のアルキルボレートおよび無水ホウ酸または酸化ホウ素が必要であった。ホウ素化合物は、後処理および単離の過程で、非経済的な大量のホウ素含有廃水を生じさせる。このため、これらの方法にはあまり魅力がない。
【誤訳訂正３】
【訂正対象書類名】明細書
【訂正対象項目名】００１０
【訂正方法】変更
【訂正の内容】
【００１０】
より詳しくは、本発明は、ホウ酸および脂肪族またはアラリファティックアミンの存在下、極性の大きい非プロトン性溶媒中で、アセチルアセトンをバニリンと縮合させ、その後、後処理することによってクルクミンを調製する方法であって、等モル量またはほぼ等モル量のホウ酸と、触媒量の式Ｒ−ＣＨ２−ＮＨ２（式中、Ｒは、場合によりメチル、メトキシまたはハロゲンで置換されていてもよいＣ１〜１９アルキルまたはフェニルである）で表わされる第一アミンの存在下、溶媒のＤＭＦ、ＤＭＡまたはジグリム中で、場合により共留剤の存在下、バニリンをアセチルアセトンと、５０〜８５℃、好ましくは５０〜６０℃の温度、１０〜１００ｍｂａｒ、好ましくは１５〜４０ｍｂａｒの減圧で、蒸留、好ましくは共沸蒸留により反応水を同時除去しながら、反応させることを特徴とする方法に関する。本発明は、また、そのような方法により調製されたクルクミンに関する。
【誤訳訂正４】
【訂正対象書類名】明細書
【訂正対象項目名】００１７
【訂正方法】変更
【訂正の内容】
【００１７】
反応が完結したところで、ホウ酸、溶剤および触媒を生成したクルクミンから除去しなければならない。後処理は、当業者によく知られた方法、例えば、抽出および／または結晶化により行うことができる。一実施態様では、反応混合物を酸性化し、酢酸で希釈して粘度を下げ、その後、ホウ酸、溶剤および触媒を水で洗浄する。得られた結晶性の粗生成物を、還流下、メタノール中でスラリー化することによってさらに精製することができる。これにより、約６６〜６９％の収率で純クルクミン（＞９８％［ｗ％］）を得ることができる。あるいは、反応混合物をエチルアセテートなどの有機溶媒で希釈し、酸性化し、そして水で洗浄することもできる。エチルアセテートを蒸発させ、クルクミンをメタノール中でスラリー化する。これにより、収率約６０％で９０％を超える純度のクルクミンが得られる。
【誤訳訂正書】
【提出日】平成25年2月13日(2013.2.13)
【誤訳訂正１】
【訂正対象書類名】特許請求の範囲
【訂正対象項目名】全文
【訂正方法】変更
【訂正の内容】
【特許請求の範囲】
【請求項１】
鋼鉄製または鋳鉄製の加工材の熱処理方法であって、オーステナイト化温度またはそれを超える温度における、ある保持時間後に、マルテンサイトが生成される上限であるマルテンサイト開始温度を超える温度に焼き入れされ、それに続く保持時間インターバル内にオーステナイトからベイナイトへの変態が起こり、加工材の温度が変態時間インターバルの間に段階的に下げられ、オーステナイトからベイナイトへの変態がその際に進行することを特徴とする加工材の熱処理方法。
【請求項２】
前記加工材の温度がマルテンサイト開始温度の経過に従って低下されることを特徴とする、請求項１に記載の加工材の熱処理方法。
【請求項３】
前記加工材が、オーステナイトからベイナイトへの部分的な変態の後、変態を加速させるため、部分的な変態が生じたときの温度より高い温度に加熱されることを特徴とする、請求項１または２に記載の加工材の熱処理方法。
【請求項４】
前記変態の時間インターバルがオーステナイトからベイナイトへの完全な変態が生じないよう、また加工材が変態の時間インターバルに継続して室温にまで冷却され、短期に保持され、続いて焼戻しされるように測られることを特徴とする、請求項１から３のいずれか１項に記載の加工材の熱処理方法。
【請求項５】
前記加工材は、焼き入れ可能なベアリング鋼または焼き入れ可能な鋼から加工されることを特徴とする、請求項１から４のいずれか１項に記載の加工材の熱処理方法。
【請求項６】
前記加工材がころがり軸受部材に関するものであることを特徴とする、請求項１から５のいずれか１項に記載の加工材の熱処理方法。
【誤訳訂正２】
【訂正対象書類名】明細書
【訂正対象項目名】００２７
【訂正方法】変更
【訂正の内容】
【００２７】
図５は、本発明による熱処理方法の第二のバリエーションの発展形態の視覚化のための時間−温度図を示す。この発展形態は、加工材温度が、既に第一の保持相および第一の低下相の後に室温まで下げられることを特徴とする。第二のバリエーションにおいて、これはベイナイト変態の目標時間インターバル中に実行される。室温における短期保持期間の後に、短時間または標準焼戻しが続く。そのためには加工材は主として、ベイナイト変態の開始の加工材温度とベイナイト変態の直前の加工材温度との間の温度に過熱し、続いて再び室温に下げる。この方式によって、熱処理全体に必要な時間が、図２に示した本発明による熱処理方法の第二のバリエーションと比較して短縮される。その際、マルテンサイトも組織成分として表れることを甘受する。
【誤訳訂正３】
【訂正対象書類名】図面
【訂正対象項目名】図５
【訂正方法】変更
【訂正の内容】
【図５】
2008509280.tif 000001
【誤訳訂正書】
【提出日】平成25年3月11日(2013.3.11)
【誤訳訂正１】
【訂正対象書類名】明細書
【訂正対象項目名】００１２
【訂正方法】変更
【訂正の内容】
【００１２】
本発明は、複数の装置のための複数の常駐ソフトウェアバージョンを有する配布媒体を構成する方法であって、少なくとも２つの常駐ソフトウェアバージョンに共通する複数の部分を構成する前記常駐ソフトウェアバージョン内で特定するステップと、前記複数の部分を構成する前記常駐ソフトウェアバージョンをセグメントに分割するステップと、配布媒体内に少なくとも２つのバージョンに共通する、１度のみ検出される部分を含むセグメントを前記配布媒体内に構成するステップとを少なくとも有する方法に関する。
【誤訳訂正２】
【訂正対象書類名】明細書
【訂正対象項目名】００２０
【訂正方法】変更
【訂正の内容】
【００２０】
本発明はまた、複数の装置のため構成され、セグメントに分割される複数の常駐ソフトウェアバージョンの配布媒体であって、当該配布媒体は、前記複数の常駐ソフトウェアバージョンのセグメントであって、当該媒体上に少なくとも２つのソフトウェアバージョンに共通する、１度のみ存在するセグメントを収集する媒体に関する。
【誤訳訂正書】
【提出日】平成25年4月16日(2013.4.16)
【誤訳訂正１】
【訂正対象書類名】明細書
【訂正対象項目名】００１０
【訂正方法】変更
【訂正の内容】
【００１０】
前記の方法は電子豊富なアルケン類に適用できる。かかるアルケン類の例は、モノ−、ジ−、トリ−またはテトラ−置換アルケン類を含む。置換基類を飽和または不飽和アルキルおよびアリール基類から選択してもよく、それら自体は官能基類、例えば（限定しないが）酸類、エステル類、アルコール類、エーテル類、アリルアルコール類、アリルエーテル類、アミン類、アリルアミン類、イミン類、アルケン類、アルデヒド類、シクロプロパン類およびケトン類などで置換されていてもよい。本発明が特によく機能するアルケン類は、３〜２０の炭素またはヘテロ原子のサイズの環の環構造に組み込まれたアルケンを含む、少なくとも３つの置換基を有するアルケンであり、環自体を、例えば、上述と同様の置換基で置換することができる。
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
表面修飾ナノ粒子であって、
ジルコニアナノ粒子と、
少なくとも１つのＮ−ヒドロキシ尿素官能基を含む、少なくとも１つの非金属有機誘導体と、
を含み、
前記非金属有機誘導体のうちの少なくともいくつかが、前記ジルコニアナノ粒子のうちの少なくともいくつかに付着される、表面修飾ナノ粒子。
【請求項２】
前記少なくとも１つの非金属有機誘導体が、相溶化基を更に含む、請求項１に記載の表面修飾ナノ粒子。
【請求項３】
前記少なくとも１つの非金属有機誘導体が、式：
【化１】
2013512850.tif 000001
を有し、式中、Ｒ１が、水素、アルキル基、シクロアルキル基、アリール基、ヘテロアリール基、アルキルアリール基、アルキルヘテロアリール基、及びヘテロシクロアルキル基からなる群から選択され、
Ｒ２及びＲ３が、独立して、アルキル、アルキレン、ヘテロアルキル、アリール、アリーレン、及びそれらの組み合わせからなる群から選択される部分を含む、請求項１に記載の表面修飾ナノ粒子。
【請求項４】
表面修飾ナノ粒子を作製する方法であって、
アセテート官能化ジルコニアナノ粒子の水性ゾルを、少なくとも１つのＮ−ヒドロキシ尿素官能基を含む少なくとも１つの非金属有機誘導体、又はその溶液と合わせて、混合物を形成する工程と、
水及び置換酢酸を前記混合物から除去して、表面修飾ナノ粒子を形成する工程と、
を含む、方法。
【請求項５】
有機マトリックスと、
前記有機マトリックスの少なくとも一部に付着される表面修飾ジルコニアナノ粒子であって、少なくとも１つのＮ−ヒドロキシ尿素官能基を含む少なくとも１つの非金属有機誘導体を含む、表面修飾ナノ粒子と、
を含む、組成物。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
宇宙船用の装置であって、
シールド表面を有する少なくとも１つのシールド層を含む平面シールドユニット、前記シールドユニットを宇宙船本体に取付けるための取付け手段および前記シールドユニットを配置するための駆動装置を備え、前記駆動装置が、収容第１位置、展開第２位置および展開第３位置との間で前記シールドユニットを移動させるよう構成されており、展開位置における前記シールド表面の前記平面が、前記収容第１位置における前記シールド表面の前記平面に対してある角度であり、それによって、前記展開第２位置では前記シールドユニットは入射デブリを妨げるよう構成され、前記展開第３位置ではシールドユニットは大気抵抗および／またはデブリ一掃を増大させるよう構成されることを特徴とする、装置。
【請求項２】
前記展開第２位置における前記シールド表面の前記平面の前記角度が、デブリのピークまたは平均束の予想迎角に基づいて選択されることを特徴とする請求項１に記載の装置。
【請求項３】
前記シールドユニットが、ヒンジのような駆動可能なジョイントによって前記取付け手段に接続されることを特徴とする請求項１または２に記載の装置。
【請求項４】
前記シールドユニットがブームのような、スタンドオフメカニズムによって前記取付け手段に接続されることを特徴とする請求項１または２に記載の装置。
【請求項５】
前記シールドユニットが、シールド材料の複数の平面シールド層から形成され、前記収容第１位置では前記複数のシールドレイヤーは互いに重なり合うことを特徴とする請求項１〜４のうちいずれか一項に記載の装置。
【請求項６】
前記シールドユニットが、シールド材料の複数の平面シールド層から形成され、前記シールド層が互いにおよびシールド層駆動装置に枢着され、それによって、前記展開第２位置ではシールド層は折り畳み構造で互いに重なり合い、前記展開第３位置ではシールド層は、前記シールドユニットの前記表面積が増大されるように、前記駆動装置によって並列配置に展開されるよう構成されることを特徴とする請求項１〜５のうちいずれか一項に記載の装置。
【請求項７】
前記シールド層駆動装置が、前記シールドユニットを駆動するための前記駆動装置と同じであることを特徴とする請求項６に記載の装置。
【請求項８】
別々のシールド層駆動装置が、各シールド層に対して設けられることを特徴とする請求項６に記載の装置。
【請求項９】
前記展開第２位置における前記シールド層または複数の前記シールド層の前記平面の前記角度は、前記展開第３位置における前記シールド層または複数の前記シールド層の前記表面の前記角度とは異なることを特徴とする請求項１から８のうちいずれか一項に記載の装置。
【請求項１０】
前記シールド層の各々の材料が、以下のリスト：織物セラミック、ＣＦＲＰ、ＧＦＲＰおよびアルミニウムから選択されることを特徴とする請求項１〜９のうちいずれか一項に記載の装置。
【請求項１１】
シールド層が、少なくとも１台の衝撃センサを備えることを特徴とする請求項１〜１０のうちいずれか一項に記載の装置。
【請求項１２】
前記シールド層が、衝突の場所および入射デブリ小片のエネルギーを識別するために複数の衝撃センサを備えることを特徴とする請求項１〜１１のうちいずれか一項に記載の装置。
【請求項１３】
複数の衝撃センサが、選択されたシールド層上に設けられることを特徴とする請求項６〜１２のうちいずれか一項に記載の装置。
【請求項１４】
請求項１〜１３のうちいずれか一項において請求されるタイプの少なくとも１台の装置を有する宇宙船。
【請求項１５】
複数のシールドユニットを備える宇宙船であって、少なくとも２つの前記シールドユニットがそれぞれの前記展開第２位置において共に連続的なバンパーシールドを形成することを特徴とする請求項１４に記載の宇宙船。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
発電装置であって、ブリード空気システム（１００）と、前記ブリード空気システム（１００）に連結され、ラム空気とブリード空気との間の温度差を利用して発電する熱電発電機（１０６）を備える発電装置。
【請求項２】
前記熱電発電機（１０６）がラム空気とブリード空気を受け入れる空気間熱交換器（２００）に連結されている、請求項１に記載の装置。
【請求項３】
前記空気間熱交換器（２００）が、前記ラム空気を使用して前記ブリード空気を冷却する、請求項２に記載の装置。
【請求項４】
前記ブリード空気システム（１００）は、前記ブリード空気内のオゾンレベルを低減するオゾンコンバータ（２１２）を備え、前記空気間熱交換器（２００）は前記オゾンコンバータ（２１２）から前記ラム空気と前記ブリード空気を受け入れる、請求項２または３に記載の装置。
【請求項５】
前記ブリード空気システム（１００）が、前記ラム空気と前記ブリード空気を監視し管理するシステム制御を含む、請求項１乃至４のいずれか１項に記載の装置。
【請求項６】
前記熱電発電機（１０６）に連結された窒素発生システム（１２０）をさらに備える、請求項１乃至５のいずれか１項に記載の装置。
【請求項７】
航空機ブリードシステム上で発電する方法であって、ラム空気を受入れ、ブリード空気を受け入れ、前記ラム空気及び前記ブリード空気を前記航空機ブリードシステムに連結された熱電発電機（１０６）に通して発電するステップを含む方法。
【請求項８】
前記熱電発電機（１０６）によって前記ブリード空気を冷却して、前記航空機ブリードシステムによって使用されるラム空気の量を減らすステップをさらに含む、請求項７に記載の方法。
【手続補正２】
【補正対象書類名】明細書
【補正対象項目名】００５６
【補正方法】変更
【補正の内容】
【００５６】
本開示の実施形態を様々な特定の実施形態の観点から説明してきたが、当業者には本開示の実施形態を、請求項の精神及び範囲内の変更を行って実施することが可能であることが明らかである。
また、本発明は以下に記載する態様を含む。
（態様１）
発電装置であって、ブリード空気システム（１００）と、前記ブリード空気システム（１００）に連結され、ラム空気とブリード空気との間の温度差を利用して前記発電する熱電発電機（１０６）を備える発電装置。
（態様２）
前記ブリード空気システム（１００）は、前記ブリード空気内のオゾンレベルを低減するオゾンコンバータ（２１２）と、前記オゾンコンバータ（２１２）から前記ラム空気と前記ブリード空気を受け入れる空気間熱交換器（２００）を備える、態様１に記載の装置。
（態様３）
前記熱電発電機（１０６）が空気間熱交換器（２００）に連結されている、態様１又は２に記載の装置。
（態様４）
前記ブリード空気システム（１００）が、前記ラム空気と前記ブリード空気を監視し管理するシステム制御を含む、態様１乃至３のいずれか１項に記載の装置。
（態様５）
空気間熱交換器（２００）が、前記ラム空気を使用して前記ブリード空気を冷却する、態様１乃至４のいずれか１項に記載の装置。
（態様６）
前記熱電発電機（１０６）に連結された窒素発生システム（１２０）をさらに備える、態様１乃至５のいずれか１項に記載の装置。
（態様７）
航空機ブリードシステム上で発電する方法であって、ラム空気を受入れ、ブリード空気を受け入れ、前記ラム空気及び前記ブリード空気を前記航空機ブリードシステムに連結された熱電発電機（１０６）に通して発電するステップを含む方法。
（態様８）
前記熱電発電機（１０６）によって前記ブリード空気を冷却して、前記航空機ブリードシステムによって使用されるラム空気の量を減らすステップをさらに含む、態様７に記載の方法。
（態様９）
前記熱電発電機（１０６）によって前記ブリード空気を冷却して、前記航空機ブリードシステムによって使用されるラム空気の量を減らすステップをさらに含む、態様７又は８に記載の方法。
【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
急性冠動脈症候群の徴候および症状を示しているが、対象の試料中におけるトロポニンＴ量が０．１ｎｇ／ｍｌより少なく心筋梗塞の診断基準を満たしていない対象において、虚血状態を検出するための方法であって、
ａ）その対象の試料中の可溶性ｆｍｓ様チロシンキナーゼ−１（ｓＦＬＴ−１）またはそのバリアントの量を測定し、
ｂ）段階ａ）で測定したｓＦＬＴ−１またはそのバリアントの量を少なくとも１つの基準量と比較し、そして
ｃ）段階ｂ）で得た情報に基づいて虚血状態を検出する
ことを含む方法。
【請求項２】
さらに、肝細胞増殖因子（ＨＧＦ）またはそのバリアントの量を測定し、そしてＨＧＦの基準値と比較する、請求項１に記載の方法。
【請求項３】
虚血状態の指標となるｓＦＬＴ−１またはそのバリアントの基準量が約９２ｐｇ／ｍｌ、より好ましくは約１０９ｐｇ／ｍｌであり、その際、基準量以下のｓＦＬＴ−１またはそのバリアントの量は、可逆性心機能不全または不可逆性心臓傷害と関連しない、またはそれらをもたらさない、非虚血状態の指標であり、基準量より多いｓＦＬＴ−１またはそのバリアントの量は、可逆性心機能不全または不可逆性心臓傷害と関連する、またはそれらをもたらす、虚血状態の指標である、請求項１または２に記載の方法。
【請求項４】
ＨＧＦまたはそのバリアントの基準量が約０，６２ｐｇ／ｍｌ、より好ましくは約０，７３ｐｇ／ｍｌであり、その際、基準量以下のＨＧＦまたはそのバリアントの量は、可逆性心機能不全または不可逆性心臓傷害と関連しない、またはそれらをもたらさない、非虚血状態の指標であり、基準量より多いＨＧＦまたはそのバリアントの量は、可逆性心機能不全または不可逆性心臓傷害と関連する、またはそれらをもたらす、虚血状態の指標である、請求項１〜３のいずれか１項に記載の方法。
【請求項５】
方法がさらに、対象において循環障害を判定するために、試料中のＡＮＰ型ペプチド、好ましくはＮＴ−ｐｒｏＡＮＰまたはそのバリアントの量を測定することを含む、請求項１〜４のいずれか１項に記載の方法。
【請求項６】
約１３２０ｐｇ／ｍｌ、より好ましくは約１６７４ｐｇ／ｍｌ以上のＮＴ−ｐｒｏＡＮＰまたはそのバリアントの量は循環障害の指標である、請求項５に記載の方法。
【請求項７】
方法がさらに、各対象のＥＣＧの測定を含む、請求項１〜６のいずれか１項に記載の方法。
【請求項８】
方法がさらに、試料中のミオグロビンもしくはそのバリアントおよび／または心臓脂肪酸結合タンパク質（ＨＦＡＢＰ）もしくはそのバリアントを測定することを含む、請求項１〜７のいずれか１項に記載の方法。
【請求項９】
急性冠動脈症候群の徴候および症状を示しているが、対象の試料中におけるトロポニンＴ量が０．１ｎｇ／ｍｌより少なく心筋梗塞の診断基準を満たしていない対象において、虚血状態をモニターするための方法であって、
ａ）少なくとも２つの異なる時点でその対象の試料中の可溶性ｆｍｓ様チロシンキナーゼ−１（ｓＦＬＴ−１）またはそのバリアントの量を測定し、そして
ｂ）段階ａ）で測定したｓＦＬＴ−１またはそのバリアントの量を少なくとも１つの基準量と比較し、そして
ｃ）段階ｂ）で得た情報に基づいて、それらの少なくとも２つの異なる時点での虚血状態を検出し、これにより虚血状態をモニターする
段階を含む方法。
【請求項１０】
心臓介入を受ける可能性のある対象を同定するための方法であって、その際、対象は急性冠動脈症候群の徴候および症状を示しているが、対象の試料中におけるトロポニンＴ量が０．１ｎｇ／ｍｌより少なく心筋梗塞の診断基準を満たしておらず、
ａ）その対象の試料中のｓＦＬＴ−１またはそのバリアントの量を測定し、そして
ｂ）段階ａ）で測定したｓＦＬＴ−１またはそのバリアントの量を少なくとも１つの基準量と比較し、
ｃ）段階ｂ）で得た情報に基づいて虚血状態を検出し、そして
ｄ）段階ｂ）で得た情報に基づいてその対象を同定する
ことを含む方法。
【請求項１１】
急性冠動脈症候群の徴候および症状を示しているが、対象の試料中におけるトロポニンＴ量が０．１ｎｇ／ｍｌより少なく心筋梗塞の診断基準を満たしていない対象において、可能性のある心臓介入を推奨もしくは決断し、または可能性のある心臓介入を開始する方法であって、
ａ）その対象の試料中のｓＦＬＴ−１またはそのバリアントの量を測定し、そして
ｂ）段階ａ）で測定したｓＦＬＴ−１またはそのバリアントの量を少なくとも１つの基準量と比較し、
ｃ）段階ｂ）で得た情報に基づいて虚血状態を検出し、そして
ｄ）段階ｂ）で得た情報に基づいて、心臓介入の開始を推奨もしくは決断し、心臓介入を開始し、または心臓介入を避ける
ことを含む方法。
【請求項１２】
心臓介入が、血流回復、血管開存、斑安定化、および／または冠動脈内血栓負荷の軽減を目的とする、医薬の投与；経皮冠動脈血管形成術；経皮経腔的冠動脈バルーン血管形成術；レーザー血管形成術；冠動脈ステント埋込み；バイパス移植または腔内手法の群から選択される、請求項１１に記載の方法。
【請求項１３】
対象の試料中のｓＦＬＴ−１またはそのバリアントの量を測定するための手段、および任意選択的に対象の試料中のＨＧＦまたはそのバリアントの量を測定するための手段、ならびにｓＦＬＴ−１および任意選択的にＨＧＦの量を少なくとも１つの基準量と比較するための手段を含む、請求項１〜１２のいずれか１項に記載の方法を実施するためのキットまたはデバイス。
【請求項１４】
急性冠動脈症候群の徴候および症状を示しているが、対象の試料中におけるトロポニンＴ量が０．１ｎｇ／ｍｌより少なく心筋梗塞の診断基準を満たしていない対象において、虚血状態を検出するための方法であって、
ａ）その対象の試料中の可溶性ＨＧＦまたはそのバリアントの量を測定し、
ｂ）段階ａ）で測定したＨＧＦまたはそのバリアントの量を少なくとも１つの基準量と比較し、そして
ｃ）段階ｂ）で得た情報に基づいて虚血状態を検出する
ことを含む方法。
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
コアおよびクラッディングを含む、光導波ファイバであって、
前記コアが、
該コアが、初期点ｒiおよび最終点ｒfを有し、アルファ（α）が２．５より大きく３．０未満であるアルファプロファイルを有する、％単位で表わされる相対屈折率プロファイルΔ（ｒ）と、
最大相対屈折率Δ1MAXと、
外半径Ｒ1と
を含み、
前記コアおよび前記クラッディングが、１３１０ｎｍの波長における０．３３１ｄＢ／ｋｍ未満の減衰、１３８３ｎｍの波長における０．３２８ｄＢ／ｋｍ未満の減衰、１４１０ｎｍの波長における０．２７０ｄＢ／ｋｍ未満の減衰、および１５５０ｎｍの波長における０．１９０ｄＢ／ｋｍ未満の減衰を有するファイバを提供する、
光導波ファイバ。
【請求項２】
０．３０％＜Δ1MAX＜０．４０％であることを特徴とする請求項１記載の光導波ファイバ。
【請求項３】
前記コアおよび前記クラッディングが、１３１０ｎｍの波長における０．３２５ｄＢ／ｋｍ未満の減衰、１３８３ｎｍの波長における０．３２３ｄＢ／ｋｍ未満の減衰、１４１０ｎｍの波長における０．２６４ｄＢ／ｋｍ未満の減衰、および１５５０ｎｍの波長における０．１８６ｄＢ／ｋｍ未満の減衰を有するファイバを提供することを特徴とする請求項１記載の光導波ファイバ。
【請求項４】
２．６＜アルファ（α）＜２．９であることを特徴とする請求項１記載の光導波ファイバ。
【請求項５】
光ファイバの製造方法であって、前記方法が、
加熱したガラス源から前記ファイバをドローする工程と、
前記光ファイバを処理区域に維持することによって前記光ファイバを処理すると同時に、ファイバ入口表面温度からファイバ出口表面温度を差し引き、前記処理区域における前記光ファイバの全滞留時間で割ったものとして定義される、５，０００℃／秒未満の前記処理区域における平均冷却速度に前記光ファイバを供する工程であって、前記処理区域を出る前記光ファイバの表面温度が少なくとも約１，０００℃であり、前記光ファイバがコアおよびクラッディングを有している工程と、
を含み、
前記コアおよび前記クラッディングが、１３１０ｎｍの波長における０．３２３ｄＢ／ｋｍ未満の減衰、１３８３ｎｍの波長における０．３１０ｄＢ／ｋｍ未満の減衰、１４１０ｎｍの波長における０．２６０ｄＢ／ｋｍ未満の減衰、および１５５０ｎｍの波長における０．１８４ｄＢ／ｋｍ未満の減衰を有するファイバを提供することを特徴とする、
光ファイバの製造方法。
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
複数の交互の第１および第２の層であって、前記第１の層は比較的低い屈折率を有し、前記第２の層は前記第１の層より比較的高い屈折率を有する、第１および第２の層を備え、前記第２の層は、
Ｎｂ／（Ｎｂ＋Ｔａ＋Ｚｒ）＜約３０
および
Ｔａ／（Ｎｂ＋Ｔａ＋Ｚｒ）＞約５０
の原子比を満足するＮｂＴａＺｒ酸化物を含む、光干渉多層コーティング。
【請求項２】
前記ＮｂＴａＺｒ酸化物内の残りの金属がほぼＺｒである、請求項１記載の光干渉多層コーティング。
【請求項３】
前記第２の層が、
約５＜Ｎｂ／（Ｎｂ＋Ｔａ＋Ｚｒ）＜約１０
および
約７５＞Ｔａ／（Ｎｂ＋Ｔａ＋Ｚｒ）＞約６５
および
約２０＜Ｚｒ／（Ｎｂ＋Ｔａ＋Ｚｒ）＜約２５
の原子比を満足するＮｂＴａＺｒ酸化物を含む、請求項１または２に記載の光干渉多層コーティング。
【請求項４】
前記コーティングが約１から約２０ミクロンの幾何学的厚さを有する、請求項１乃至３のいずれかに記載の光干渉多層コーティング。
【請求項５】
前記コーティングが４から２５０の層の総数を有する、請求項１乃至４のいずれかに記載の光干渉多層コーティング。
【請求項６】
前記コーティングが、４００〜７５０ｎｍの波長の可視光にて約６０％より大きな平均透過率を有する、請求項１乃至５のいずれかに記載の光干渉多層コーティング。
【請求項７】
前記コーティングが、８００〜１５００ｎｍの波長の電磁スペクトルの赤外領域にて約５０％より大きな平均反射率を有する、請求項６記載の光干渉多層コーティング。
【請求項８】
前記コーティングが、１５００〜２５００ｎｍの波長の電磁スペクトルの赤外領域にて約４０％より大きな平均反射率を有する、請求項６記載の光干渉多層コーティング。
【請求項９】
前記コーティングが、２５００〜３５００ｎｍの波長の電磁スペクトルの赤外領域にて約３０％より大きな平均反射率を有する、請求項６記載の光干渉多層コーティング。
【請求項１０】
表面を有する光透過性外囲器と、
前記外囲器が少なくとも部分的に取り囲む少なくとも１つの光源と
を備えるランプであって、
前記光透過性外囲器の前記表面の少なくとも一部分には、請求項１乃至９のいずれかに記載の光干渉多層コーティングが設けられる、
ランプ。
【請求項１１】
前記少なくとも１つの光源はフィラメントを備え、前記コーティングは４００〜７５０ｎｍの波長の可視光にて約６０％より大きな平均透過率を有し、８００〜１５００ｎｍの波長の電磁スペクトルの赤外領域にて約５０％より大きな平均反射率を有する、請求項１０記載のランプ。
【請求項１２】
前記外囲器内に配置され、前記外囲器を通って延びる電流供給導体に接続された少なくとも１つの電気要素をさらに備える、請求項１０または１１に記載のランプ。
【請求項１３】
前記外囲器がハロゲンを含んだガスを含む充填ガスを封入し、
前記外囲器が、ガラス、石英、石英ガラス、およびほぼ透明なセラミックの少なくとも１つを含む、請求項１０乃至１２のいずれかに記載のランプ。
【請求項１４】
前記光干渉多層コーティングが、前記外囲器の内面上および外面上の一方または両方に設けられる、請求項１０乃至１３のいずれかに記載のランプ。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
鍵盤のキーに対して離れて配置された対象の有無を検知するために該鍵盤に作動可能に結合された検知手段と、
この離れた配置が前記キーに対して所定の空間内にあるように前記検知手段を位置決めするために、前記検知手段に作動可能に結合された位置決め手段と、
前記検知手段に作動可能に結合され、前記対象が前記離れた配置に在る場合に知らせるように作動することができる報告手段とを含む、複数のキーを有する鍵盤楽器の習得支援装置。
【請求項２】
前記検知手段が１つまたは複数の動作センサを含む、請求項１に記載の鍵盤楽器支援装置。
【請求項３】
前記または各々の動作センサが、一体式の検知装置の中に設けられることで、前記位置決め手段を前記鍵盤の一端に配置される、請求項２に記載の鍵盤楽器支援装置。
【請求項４】
前記検知手段が、前記離れた配置がそれより下では演奏者の少なくとも一方の手がキーを適切に弾くには低すぎるとみなされる位置になるように設置される、請求項１から３のいずれか一項に記載の鍵盤楽器支援装置。
【請求項５】
２つのエネルギービームと２つの関連するエネルギーセンサがあり、一方はキーを適切に弾くには演奏者の少なくとも一方の手が低すぎるときに検知するように配置され、他方は手が高すぎるときに検知するように配置されている、請求項１に記載の鍵盤楽器支援装置。
【請求項６】
前記検知手段が接触面を有するバーを含むことができる、請求項１に記載の鍵盤楽器支援装置。
【請求項７】
前記バーを前記キーから離れた配置で前記鍵盤に設置することができ、前記鍵盤楽器の前記演奏者の手の一方、手首および／または手首部分が接触するように前記バーに形成された接触面を含む、請求項６に記載の鍵盤楽器支援装置。
【請求項８】
前記鍵盤の両端に設置するために設置ブラケットが設けられ、これにより前記検知手段を該設置ブラケットに設置することができ、該設置ブラケットが前記離間した配置で前記検知手段を設置するように形成され配置されている、請求項６または７に記載の鍵盤楽器支援装置。
【請求項９】
前記検知手段と、前記検知手段の位置を調節するための前記設置ブラケットの間に作動可能に介在する調節手段が設けられる、請求項８に記載の鍵盤楽器支援装置。
【請求項１０】
前記バーが、前記ピアノの鍵盤のキースリップから離れた位置で、かつ該キースリップに対してほぼ平行に設置可能であり、前記接触面が、該キースリップと前記ピアノのキーの前方かつ上方になるように設置され、この接触面の位置が、前記ピアノの白鍵を叩くように位置決めされたときの前記演奏者の通常の手首の位置より下になるように選択される、請求項９に記載の鍵盤楽器支援装置。
【請求項１１】
前記検知手段の配置が、前記ピアノの鍵盤の白鍵を弾くように位置決めされたときの通常の手首の位置より下である、請求項１０に記載の鍵盤楽器支援装置。
【請求項１２】
手が高すぎるときに検知するように第２検知手段が設けられ、この検知手段の配置が、前記ピアノの鍵盤の黒鍵から前記演奏者の指を持ち上げるように位置決めされたときの通常の手首の位置より上になるように選択される、請求項１１に記載の鍵盤楽器支援装置。
【手続補正書】
【提出日】平成25年11月11日(2013.11.11)
【手続補正１】
【補正対象書類名】明細書
【補正対象項目名】０００３
【補正方法】変更
【補正の内容】
【０００３】
異数性および腫瘍形成と不完全であるが低下した有糸分裂チェックポイント機能とを関連づける十分な証拠がある[Weaver BA and Cleveland DW, Cancer Research, 2007、67、10103-5；King RW, Biochimica et Biophysica Acta, 2008, 1786, 4-14]。これに対して、有糸分裂チェックポイントの完全な阻害は、重度の染色体誤分配および腫瘍細胞におけるアポトーシスの誘導をもたらすと認識されている[Kops GJ et al., Nature Reviews Cancer, 2005, 5, 773-85； Schmidt M and Medema RH, Cell Cycle, 2006, 5, 159-63； Schmidt M and Bastians H, Drug Resistance Updates, 2007, 10, 162-81]。それ故に、有糸分裂チェックポイントのMps-1キナーゼまたは他の成分の薬理阻害による有糸分裂チェックポイントの停止は、固体腫瘍、例えば、癌腫および肉腫および白血病およびリンパ性悪性疾患または制御されていない細胞性増殖に関連する他の疾患をふくむ増殖性疾患の処置のための新規方法を示す。
【手続補正２】
【補正対象書類名】明細書
【補正対象項目名】０００６
【補正方法】変更
【補正の内容】
【０００６】
しかしながら、上記した本分野の先行技術の記述には、後記“本発明の化合物”またはその薬理活性として本明細書に記述かつ規定したような本発明の一般式(Ｉ)の特定のトリアゾロピリジン化合物、またはその立体異性体、互変異性体、Ｎ-オキシド、水和物、溶媒和物または塩、あるいはそれらの混合物を記述したものはない。これは本発明の基礎を構成するもので、本発明の該化合物は驚くべきかつ有利な特性を有するということが見出された。
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
少なくとも１種の金属イオンに配位結合した少なくとも１種の少なくとも２座の有機化合物を含む多孔質の有機金属骨格材料であって、
前記少なくとも１種の少なくとも２座の有機化合物は、２，５−フランジカルボン酸又は２，５−チオフェンジカルボン酸から誘導され、
前記少なくとも１種の金属イオンは、Ａｌ、Ｍｇ及びＺｎからなる群から選択される金属のイオンであることを特徴とする有機金属骨格材料。
【請求項２】
請求項１に記載の骨格材料を含む成形体。
【請求項３】
請求項１に記載の骨格材料を製造する方法であって、
（ａ）前記少なくとも１種の金属イオンに対応する金属塩及び２，５−フランジカルボン酸又は２，５−チオフェンジカルボン酸並びに溶媒を含む反応混合物を、１００〜１５０℃の範囲の温度において少なくとも３時間反応させる工程、及び
（ｂ）沈殿した固形物を単離する工程、
を含む方法。
【請求項４】
前記反応混合物中の金属塩の初期濃度が０．０５ｍｏｌ／ｌ〜０．８ｍｏｌ／ｌである請求項３に記載の方法。
【請求項５】
使用する金属塩のその金属を基準とする初期モル量に対する使用する２，５−フランジカルボン酸又は２，５−チオフェンジカルボン酸の初期モル量の比が、０．５：１〜２：１である請求項３又は４に記載の方法。
【請求項６】
前記溶媒がＮ，Ｎ−ジメチルホルムアミドを含む請求項３〜５の何れか１項に記載の方法。
【請求項７】
請求項１に記載の骨格材料又は請求項２に記載の成形体をガスの貯蔵に使用する方法。
【請求項８】
前記ガスが水素である請求項７に記載の方法。
【請求項９】
請求項１に記載の骨格材料又は請求項２に記載の成形体をガス混合物からガスを分離するために使用する方法。
【手続補正書】
【提出日】平成25年8月20日(2013.8.20)
【手続補正１】
【補正対象書類名】明細書
【補正対象項目名】発明の名称
【補正方法】変更
【補正の内容】
【発明の名称】遺伝子型が同定された糖尿病患者のリナグリプチン等のＤＰＰ−ＩＶ阻害薬による治療
【手続補正書】
【提出日】平成25年10月4日(2013.10.4)
【手続補正１】
【補正対象書類名】特許請求の範囲
【補正対象項目名】請求項１
【補正方法】変更
【補正の内容】
【請求項１】
ルミネッセンス可能な下記式Ｉの錯体：
【化１】
2013512227.tif 000001
（式中、
Ｍは金属イオン、重金属又はランタニド、又はｄブロック元素であり、
ｌｉｇは、共役π電子系を有する配位子であり、金属イオンＭに結合しており、互いに共有結合した、又は縮合した少なくとも２つの芳香環を含み、
ｃｔｇは、正孔又は電子を輸送し、ジクロロメタン、クロロホルム、トルエン及びテトラヒドロフラン等の有機溶媒に対する該錯体の溶解性を改善する有機電荷輸送基であり、ｃｔｇが窒素原子、酸素原子、硫黄原子及び／又はリン原子を含むアリール又はヘテロアリールを含み、
ｎ、ｍ、ｏは、各々０、１、２又は４でありえる整数、ｐは、１、２又は４であり得る整数であり、ｎ、ｍ、ｏ、ｐの合計は、
４つの配位部位を有する金属イオンＭについては２であり、
６つの配位部位を有する金属イオンＭについては３であり、
８つ又は９つの配位部位を有する金属イオンＭについては４であり、
ｌｉｇＩ（ｃｔｇ１）（ｃｔｇ２）、ｌｉｇＩＩ（ｃｔｇ３）（ｃｔｇ４）及びｌｉｇＩＩＩ（ｃｔｇ５）（ｃｔｇ６）は同じであっても、又は異なっていてもよく、
Ｌは、金属イオンＭが９つの配位部位を有するランタニド金属イオンである場合に存在する、任意の中性単座配位子であり、Ｌはアミン、イミン、ｐ−置換ピリジン、エーテル、イソシアネート、イソニトリル、ニトリル、カルボニル又はＮ−複素環であり、
スペクテーター（式Ｉ中spectatorと表示し、以下同様）は負に帯電した二座配位子であり、β−ジケトネート、ｎａｃｎａｃ、Ｎ−アルキルサリチルイミン、２−ピコリネート、二座ピラゾリルボレート、１，２−ニド−カルボランジホスフィン、１，２−ニド−カルボランジイソシアニド、１，２−ニド−カルボランジアルセネート、一価に負に帯電したジアミン、一価に負に帯電したジホスフィン、一価に負に帯電したジアルシン、一価に負に帯電したビスグアニジン、負に帯電した二座チオレート、負に帯電した二座アルコレート、負に帯電した二座フェノレートを含む群から選択することができる）。
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
トレッドが、未加硫状態で、少なくとも、ジエンエラストマー、70〜120phrの補強用充填剤、5phrと25phrの間の量の発泡剤、および5phrと25phrの間の量の、融点が70℃と150℃の間である熱溶融性化合物を含む熱膨張性ゴム組成物を含み、発泡剤と熱溶融性化合物の総含有量が15phrよりも多いことを特徴とするタイヤ。
【請求項２】
前記ジエンエラストマーが、天然ゴム、合成ポリイソプレン、ポリブタジエン、ブタジエンコポリマー、イソプレンコポリマーおよびこれらのエラストマーの混合物からなる群から選ばれるジエンエラストマーである、請求項１記載のタイヤ。
【請求項３】
前記ゴム組成物が、50〜100phrの天然ゴムまたは合成ポリイソプレンを含む、請求項２記載のタイヤ。
【請求項４】
前記組成物が、50〜100phrの、90％よりも多いシス‐1,4結合含有量を有するポリブタジエンを含む、請求項２記載のタイヤ。
【請求項５】
前記補強用充填剤の含有量が、75〜115phrの範囲内にある、請求項１〜４のいずれか１項記載のタイヤ。
【請求項６】
前記ゴム組成物が、20℃で液体である可塑剤を、補強用充填剤対液体可塑剤の質量比が2.0よりも大きいような含有量でさらに含む、請求項１〜５のいずれか１項記載のタイヤ。
【請求項７】
前記発泡剤が、アゾ、ニトロソ、ヒドラジン、カルバジド、セミカルバジド、テトラゾール、カーボネートおよびシトレート化合物、並びにそのような化合物の混合物からなる群から選ばれる、請求項１〜６のいずれか１項記載のタイヤ。
【請求項８】
前記発泡剤が、アゾジカルボンアミド化合物である、請求項７記載のタイヤ。
【請求項９】
発泡剤の含有量が、8phrと20phrの間の量である、請求項１〜８のいずれか１項記載のタイヤ。
【請求項１０】
熱溶融性化合物の含有量が、8phrと20phrの間の量である、請求項１〜９のいずれか１項記載のタイヤ。
【請求項１１】
前記熱溶融性化合物の融点が、100℃と150℃の間である、請求項１〜１０のいずれか１項記載のタイヤ。
【請求項１２】
前記熱溶融性化合物が、尿素または尿素の熱溶融性誘導体である、請求項１〜１１のいずれか１項記載のタイヤ。
【請求項１３】
請求項１〜１２のいずれか１項記載の空気式タイヤを硬化させた後に得られる、加硫状態のタイヤ。
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
下記の式の化合物：
【化１】
2013512277.tif 000001
（式中、
Ｒ１は、Ｈ、ＦおよびＣｌからなる群より選択され、
Ｒ５は、Ｈまたは−Ｃ≡ＣＣＨ３であり、
Ｘは、−ＣＨ２ＣＨ２−、−ＣＨ＝ＣＨ−、および−Ｎ（Ｒ７）ＣＨ２−からなる群より選択され、
Ｒ７は、ＨおよびＣ１−３アルキルからなる群より選択され、
Ｚ１は、−Ｃ（Ｒ３）−および−Ｎ−からなる群より選択され、
Ｒ３は、Ｈ、ＯＣＨ３、およびＣＨ３からなる群より選択され、
Ｚ２は、−Ｓ−および−Ｏ−からなる群より選択され、
Ｚ３は、−Ｃ（Ｒ４）−および−Ｎ−からなる群より選択され、
Ｒ４は、Ｈ、ＯＣＨ３、およびＣＨ３からなる群より選択され、
ここで、Ｚ１およびＺ３からなる群より選択される少なくとも１つは−Ｃ（Ｒ３）−または−Ｃ（Ｒ４）−である）
またはその医薬的に許容可能な塩。
【請求項２】
Ｒ１がＨである、請求項１に記載の化合物またはその塩。
【請求項３】
Ｒ５が−Ｃ≡ＣＣＨ３である、請求項１または２に記載の化合物またはその塩。
【請求項４】
前記化合物がＳ異性体である、請求項３に記載の化合物またはその塩。
【請求項５】
Ｒ１がＦであり、Ｒ５がＨである、請求項１に記載の化合物またはその塩。
【請求項６】
Ｚ２が−Ｓ−である、請求項１〜５のいずれか一項に記載の化合物。
【請求項７】
Ｚ１が−Ｃ（Ｒ３）−である、請求項１〜６のいずれか一項に記載の化合物またはその塩。
【請求項８】
Ｒ３がＨまたはＣＨ３である、請求項１〜７のいずれか一項に記載の化合物またはその塩。
【請求項９】
Ｚ３が−Ｃ（Ｒ４）−である、請求項１〜８のいずれか一項に記載の化合物またはその塩。
【請求項１０】
Ｒ４がＨである、請求項９に記載の化合物またはその塩。
【請求項１１】
Ｘが−ＣＨ＝ＣＨ−である、請求項１〜１０のいずれか一項に記載の化合物またはその塩。
【請求項１２】
Ｘが−Ｎ（Ｒ７）ＣＨ２−である、請求項１〜１０のいずれか一項に記載の化合物またはその塩。
【請求項１３】
Ｒ７がＣＨ３である、請求項１２に記載の化合物またはその塩。
【請求項１４】
前記化合物は医薬的に許容可能な塩である、請求項１〜１３のいずれか一項に記載の化合物。
【請求項１５】
下記の式の化合物
【化２】
2013512277.tif 000002
またはその医薬的に許容可能な塩。
【請求項１６】
下記の式の化合物
【化３】
2013512277.tif 000003
またはその医薬的に許容可能な塩。
【請求項１７】
医薬的に許容可能な担体と、請求項１〜１６のいずれか一項に記載の少なくとも１つの化合物またはその医薬的に許容可能な塩とを含む、医薬組成物。
【請求項１８】
別の薬剤をさらに含む、請求項１７に記載の医薬組成物。
【請求項１９】
糖尿病の治療のための医薬を製造するための、請求項１〜１６のいずれか一項に記載の化合物、またはその医薬的に許容可能な塩の使用。
【請求項２０】
治療に使用するための請求項１〜１６のいずれか一項に記載の化合物またはその医薬的に許容可能な塩。
【請求項２１】
糖尿病の治療に使用するための請求項１〜１６のいずれか一項に記載の化合物またはその医薬的に許容可能な塩。